(57)【要約】【課題】複数チューナ内蔵テレビ受信機において、広い範囲の信号レベルで受信可能とする。【解決手段】入力信号レベルが、チューナ（１）では、−７０ｄＢｍから０ｄＢｍまでとして、チューナ（２）では、例えば、−８０ｄＢｍから−１０ｄＢｍまでとすると、−８０ｄＢｍから０ｄＢｍまでの広い範囲が、テレビジョン受信機において受信可能な範囲となる。このように、強電界に強いチューナと弱電界に強いチューナのように、受信状態の良いチューナを選択することで、テレビ受信機全体として受信が可能な信号レベル範囲を拡大させることができる。【選択図】図２
2008278195.tif 000002
【特許請求の範囲】
【請求項１】
分配器により分配され、第１及び第２のチューナを含む複数のチューナに出力される信号を独立に制御する制御機構を有するテレビジョン受信装置であって、
前記第１のチューナと前記第２のチューナとにおける受信可能範囲を異なるものとすることを特徴とするテレビジョン受信装置。
【請求項２】
前記制御機構は、前記第１のチューナと前記第２のチューナとの出力に接続される第１の復号部と第２の復号部とのそれぞれの受信状況に関する受信状況検出部による検出に基づいて前記第１の復号部と前記第２の復号部とのいずれを出力するかに関する切換を行うスイッチ機構を有することを特徴とする請求項１に記載のテレビジョン受信装置。
【請求項３】
受信チャンネル毎に、受信に適したチャネルを選択し、チャンネル情報とともに保持する記憶部を備えることを特徴とする請求項１又は２に記載のテレビジョン受信装置。
【請求項４】
チャンネルサーチにおいて、受信チャンネル毎に、受信に適したチャネルを選択し、チャンネル情報とともに保持する記憶部を備えることを特徴とする請求項１又は２に記載のテレビジョン受信装置。
【請求項５】
前記第１のチューナと前記第２のチューナとに基づく２面表示を行うことを特徴とする請求項１から４までのいずれか１項に記載のテレビジョン受信装置。
【発明の詳細な説明】
【技術分野】
【０００１】
本発明は、テレビジョン受信装置に関し、特に複数のチューナを備えたテレビジョン受信装置に関する。
【背景技術】
【０００２】
従来、テレビジョン受信装置では、アンテナ入力端子からの信号を分配器により例えば２つのチューナに分配して信号を送ることが行われている（例えば、特許文献１参照）。ところで、分配器により減衰した信号を増幅するために増幅器が設けられていることが一般的であり、これにより受信可能な信号レベル範囲を広げている。
【０００３】
しかしながら、増幅器を用いた場合にはゲイン上昇に伴い、強電界の信号が入力されると歪みによる特性劣化が生じる。逆にゲインを低くすると弱電界で受信が不可となる。このためゲイン量により、通常の受信信号レベルを中心に強電界、弱電界のカバー範囲を調整している。下記特許文献１に記載の技術は、テレビジョン受信装置へのアンテナ信号分配を目的にする記録装置に関する発明であり、分配による減衰を補う増幅回路を用いることなどが記載されている。
【０００４】
図６は、このような一般的な分配器の一構成例を示す機能ブロック図である。図６に示すように、分配器１０３は、入力インターフェイス部１０１と、分配器１１７と、２つの出力インターフェイス部１０５・１０７と、を有している。入力インターフェイス部１０１と分配器１１７との間には、増幅器１１５を通すか否かを選択するスイッチ１１１及び増幅器ＯＮ／ＯＦＦ制御部１２１と、が設けられている。この幅器ＯＮ／ＯＦＦ制御部１２１により、分配する信号を増幅器１１５により増幅するか否かの制御を行う。また、チューナ内に信号レベルに応じたゲイン調整機能を有している。図７は、チューナの構成例を示す図である。図７に示すように、チューナ処理部１２５の前段と後段とに、それぞれ、増幅器１２３・１２７を設け、それぞれの増幅器のゲインを制御するゲイン制御部（１）１３３、ゲイン制御部（２）１３５が設けられている。そして、増幅器１２７からの出力１３１が設けられている。
【０００５】
【特許文献１】特開２００５−１３０２４０号公報
【発明の開示】
【発明が解決しようとする課題】
【０００６】
上記のような分配器では、入力初段に増幅器を持ち、これのＯＮ／ＯＦＦによって、ゲインを調整し、また、チューナ内に信号レベルに応じたゲイン調整機能を有している。しかしながら、ゲインの調整には限界があり、チューナおよび分配器では、受信可能な信号レベル範囲がそれぞれの回路部品性能、回路定数等のハードウェア要件により決まってしまうという問題がある。
【０００７】
特に、最近では盛んに利用されている２つのチューナを利用した例えば２画面機能などにより、テレビジョン受信装置に入力されるアンテナ信号において、チャンネル間に大きな強度差がある番組を視聴する場合などにおいて、一方のチューナにおいて選局されたチャンネルの信号強度を最適化すると、他方のチューナにより選局されるチャンネルが、本来、テレビジョン受信装置により受信可能な信号強度範囲に収まらないなどの問題が生じる場合がある。
【０００８】
本発明は、複数チューナ内蔵テレビ受信機において、広い範囲の信号レベルで受信可能とすることを目的とする。
【課題を解決するための手段】
【０００９】
複数チューナ内蔵テレビジョン受信機において、それぞれのチューナまたは分配器内の増幅器利得を異なる値に設計し、双方から得られる復調信号より受信状態の良好なチューナを選択して、ユーザーに提示することにより、本テレビセットで得られる受信可能な信号レベル範囲を拡大することができる。
【００１０】
複数のチューナを内蔵したテレビジョン受信機において、それぞれ受信性能の異なる（受信可能な信号レベル）チューナまたは分配器に配することにより、強電界または弱電界に対して受信可能領域を広げ、復調LSIにて得られる受信状態のモニター値を参照し、最適なチューナを選択する。
【００１１】
すなわち、分配器により分配され、第１及び第２のチューナを含む複数のチューナに出力される信号を独立に制御する制御機構を有するテレビジョン受信装置であって、前記第１のチューナと前記第２のチューナとにおける受信可能範囲を異なるものとすることを特徴とするテレビジョン受信装置が提供される。受信可能範囲を異なるものとすることで、テレビ全体での受信可能範囲を広げることができる。
【００１２】
前記制御機構は、前記第１のチューナと前記第２のチューナとの出力に接続される第１の復号部と第２の復号部とのそれぞれの受信状況に関する受信状況検出部による検出に基づいて前記第１の復号部と前記第２の復号部とのいずれを出力するかに関する切換を行うスイッチ機構を有することが好ましい。その際、受信チャンネル毎に、受信に適したチャネルを選択し、チャンネル情報とともに保持する記憶部を備えることが好ましい。或いは、チャンネルサーチにおいて、受信チャンネル毎に、受信に適したチャネルを選択し、チャンネル情報とともに保持する記憶部を備えていても良い。これらの装置では、受信状況を毎回検出して反映させる必要がないため、処理が簡単になる。また、前記第１のチューナと前記第２のチューナとに基づく２面表示を行うものであるのが好ましい。
【発明の効果】
【００１３】
本発明によれば、チューナが持つ受信可能信号レベル範囲を拡大でき、従来受信不可能であった強電界および弱電界での受信を可能とする。
【発明を実施するための最良の形態】
【００１４】
本発明に係るテレビジョン受信機は、複数のチューナを内蔵する場合に、複数のチューナのち少なくとも２つのそれぞれのチューナ又は分配器内の増幅器利得を異なる値に設計することを特徴とする。その上で、双方から得られる復調信号を参照し、より受信状態の良好なチューナを選択してユーザーに提示する。例えば、強電界には利得の低いチューナを選択し、弱電界では利得の高いチューナを選択するなどの機能を持たせることができる。
【００１５】
以下、本発明の第１の実施の形態によるテレビジョン受信装置について図面を参照しながら説明を行う。図１は、本実施の形態によるテレビジョン受信装置１の一構成例を示す図である。図１に示すように、テレビジョン受信装置１は、分配器３であってアンテナ側の入力インターフェイス部３ａと、出力側のインターフェイス部３ｂ・３ｃと、それぞれに接続される第１のチューナ５、第１復調部１１、第１復号部１５、及び第２のチューナ７、第２復調部１７、第２復号部２１と、各部を制御するＣＰＵ２５と、メモリ２７と、受信状態検出部３１と、第１復号部１５・第２復号部２１のいずれの映像・音声を出力するかを選択・切換するスイッチ部２３と、を有している。スイッチ部２３は、受信状況検出部３１からの検出信号に基づいて切換可能となっているのが好ましい。
【００１６】
図２は、それぞれのチューナで受信が可能な信号レベル範囲（ダイナミックレンジ）の状況を模式的に示す図である。ダイナミックレンジは、回路部品の特性、回路定数等により有限の範囲であり、複数チューナ（この場合は２チューナ）のそれぞれの特性を設計時に異なるものとして設定している。図２では、入力信号レベルが、チューナ（１）５（図１）では、例えば、−７０ｄＢｍから０ｄＢｍまでとして、チューナ（２）７（図１）では、例えば、−８０ｄＢｍから−１０ｄＢｍまでとすると、−８０ｄＢｍから０ｄＢｍまでの広い範囲が、テレビジョン受信機において受信可能な範囲となる。このように、強電界に強いチューナと弱電界に強いチューナのように、受信状態の良いチューナを選択することで、テレビ受信機全体として受信が可能な信号レベル範囲を拡大させることができる。尚、チューナ／分配器での受信可能範囲が有限となる要因は、増幅器の歪み、ＮＦ等の部品性能とゲイン量を決定する回路定数などに起因するものである。
【００１７】
［実施例１］
２つのチューナ処理系統においてその受信特性（受信可能信号レベル範囲）を異なるものに設計する。それぞれのチューナ後段の復調処理部で得られる受信状況モニター（受信状況検出部３１）において、現在受信中のチャンネルでは、２つのチューナ５・７のうちいずれのチューナの方が、より良好な受信状態となっているかをモニターし、受信状態の良いチューナから得られた信号をその後段以降において処理してユーザーに提示するようにする。図３は、本実施の形態によるチューナ選択処理の流れを示すフローチャート図である。図３に示すように、テレビジョン受信機におけるチューナ選択処理においては、まず、処理が開始され（ステップＳ１：Ｓｔａｒｔ）、ステップＳ２において受信処理を開始する。次いで、ステップＳ３において、受信状況を検出する。ステップＳ４において、ステップＳ３において検出した受信状況により、チューナの変更の要否を判定する。変更の必要がない場合には（否）この処理を継続する。変更要と判定されると、例えば、図２において、チューナ（１）５を利用していたが、さらに弱電界のチューナが必要になった場合には、ステップＳ５においてチューナ変更処理を行い、ステップＳ５において、ステップＳ３の受信状況とステップＳ５のチューナ選択とを、チャネル毎に図１のメモリ２７に記録する。次いで、ステップＳ３に戻り、次のチャネルについて同様の処理を行う。
【００１８】
［実施例２］
例えば、初期設定のチャンネルスキャン時にそれぞれのチューナで得られる受信状態をモニターし、より良好な受信状態のチューナを選択し、チャンネルごとに記録して、以降の選局時はこれに従ったチャンネル選択を実施することもできる。すなわち、図４に示すように、まず処理を開始し、（ステップＳ１１：ｓｔａｒｔ）、ステップＳ１２で受信を開始し、ステップＳ１３でチャネルをスキャンする。次いで、図３のステップＳ３からステップＳ６までの処理を繰り返す。以上により、チャネル毎に異なる電界に応じた最適なチューナを選択する処理を行うことができる。メモリの記憶により、次回からは、受信状況を監視しない場合でも、メモリの記憶に基づいて、チューナを切り替えることで、より簡易にチューナ切換による受信感度の向上を図ることができる。図５は、メモリに記憶されたチャネル毎の選択すべきチューナを示すテーブルである。このようにチャネルによって適切なチューナを選択して切り替えることができる。
【００１９】
以上に説明したように、本実施の形態によれば、チューナが持つ受信可能信号レベル範囲を拡大でき、従来受信不可能であった強電界および弱電界での受信を可能とする。尚、以上では、２面表示に関して説明したが、多面表示に拡張可能である。
【産業上の利用可能性】
【００２０】
本発明は、複数のチューナを備えたテレビジョン受信装置に利用可能である。
【図面の簡単な説明】
【００２１】
【図１】本発明の一実施の形態によるテレビジョン受信装置の一構成例を示す図である。
【図２】２つのチューナで受信が可能な信号レベル範囲（ダイナミックレンジ）の状況を模式的に示す図である。
【図３】本発明の第１実施例によるチューナ選択処理の流れを示すフローチャート図である。
【図４】本発明の第２実施例によるチューナ選択処理の流れを示すフローチャート図である。
【図５】本発明の第２実施例によるチューナ選択処理を行った場合の、チューナ−選択テーブルの一例を示す図である。
【図６】一般的な分配器の一構成例を示す機能ブロック図である。
【図７】一般的なチューナの一構成例を示す機能ブロック図である。
【符号の説明】
【００２２】
１…テレビジョン受信機、３…分配器、５…チューナ１、７…チューナ２、１１…第１復調部、１５…第１復号部、１７…第２復調部、２１…第２復号部、２３…スイッチ、２５…ＣＰＵ、２７…メモリ、３１…受信状況検出部
【図１】
2008278195.tif 000003
【図２】
2008278195.tif 000004
【図３】
2008278195.tif 000005
【図４】
2008278195.tif 000006
【図５】
2008278195.tif 000007
【図６】
2008278195.tif 000008
【図７】
2008278195.tif 000009